(57)【特許請求の範囲】
【請求項１】
紙を基材とするトレー容器内に内容物を充填後、紙を基材とする蓋体により封嵌し密封する紙製容器において、前記トレー容器は上面が開口しかつ、開口周縁にフランジを有する紙基材の内面に微細貫通孔を有する合成樹脂フィルムを真空成形、又は真空成形と圧空成形の併用により積層接着し、かつ外面に印刷層を設けて成り、前記蓋体は内面に微細貫通孔を有する合成樹脂フィルムを積層接着して成る、電子レンジ、オーブン等の加熱による加熱調理可能な密封紙製容器。
【請求項２】
前記トレー容器、蓋体の紙基材が加熱による臭気の発生がない、もしくは低く、かつ耐水性があることを特徴とする請求項１記載の加熱調理可能な密封紙製容器。
【請求項３】
前記トレー容器、蓋体の内面の合成樹脂フィルムが耐熱性があり、かつ紙との接着力が強い材料の単層、または積層材料としたことを特徴とする請求項１または２記載の加熱調理可能な密封紙製容器。
【請求項４】
前記トレー容器、蓋体の外面の印刷層のインキが耐熱性、通気性、耐水性があり、かつ加熱による臭気の発生がない、もしくは低い材料からなることを特徴とする請求項１乃至３のいずれかに記載の加熱調理可能な密封紙製容器。
【請求項５】
前記トレー容器、蓋体の外面の印刷層の最外面が、オーバープリントニス層であることを特徴とする請求項１乃至４のいずれかに記載の加熱調理可能な密封紙製容器。
【請求項６】
請求項１乃至５のいずれかに記載の加熱調理可能な密封紙製容器に用いるトレー容器。
【請求項７】
前記トレー容器が多角形状底板の周囲に側板が起立し、各側板の側部同士が重なり、かつ前記側板の上部にフランジが水平方向に張り出しているトレーであることを特徴とする請求項６記載の加熱調理可能な密封紙性容器に用いるトレー容器。
【請求項８】
前記トレー容器の側板が、近接する側板同士の側部において、どちらか一方の側板の側部に張り出し部を有し、該張り出し部が、他方の側板の内面に重なっていることを特徴とする請求項７記載の加熱調理可能な密封紙製容器に用いるトレー容器。
【請求項９】
請求項１乃至５のいずれかに記載の加熱調理可能な密封紙製容器に用いる蓋体。
【発明の詳細な説明】
【０００１】
【発明の属する技術分野】
本発明は内容物である、未調理、調理済食品を容器本体に直に充填した後、蓋体により封嵌し密封した紙製容器に関するものであり、特に、冷凍、冷蔵、チルド、及び常温で流通保存した密封容器本体をそのまま電子レンジ、オーブン等により加熱し、内容物を加熱調理することが可能な密封紙製容器に関するものである。
【０００２】
【従来の技術】
従来よりトレー容器内に内容物を充填後、蓋体により封嵌し密封する紙製容器は知られており、またそのトレー容器を上面が開口しかつ、開口周縁にフランジを有する紙製とし、その内面に合成樹脂フィルムを真空成形、又は真空成形と圧空成形の併用により積層接着する容器は知られている。例えば、実公昭５１−３１２０２、実公昭５４−４２８３０等が公知資料としてある。
【０００３】
【発明が解決しようとする課題】
ただし、従来の容器は、その目的を耐水性のある紙容器としており、その用途としては、液体等でもその内部に充填可能とし、しかも高い密封性を有するとしている。しかし、昨今の特に食品の流通、調理形態を見ると流通時に用いた容器をそのまま電子レンジ、オーブン等の手段により加熱調理するという要求が非常に高くある。そこで、本発明は従来の容器にこれらの加熱手段による加熱による容器の変形、臭いの発生等のマイナス要因をなくし、良好に内容物の加熱調理をおこなえる密封紙製容器を提示するものである。
【０００４】
【課題を解決するための手段】
本発明に於いて上記目的を達成するために、本発明の第１の発明は、トレー容器内に内容物を充填後、蓋体により封嵌し密封する紙製容器において、前記トレー容器は上面が開口しかつ、開口周縁にフランジを有する紙基材の内面に微細貫通孔を有する合成樹脂フィルムを真空成形、又は真空成形と圧空成形の併用により積層接着し、かつ外面に印刷層を設けて成り、前記蓋体は内面に微細貫通孔を有する合成樹脂フィルムを積層接着して成る、電子レンジ、オーブン加熱等による加熱調理可能な密封紙製容器とした。
【０００６】
本発明の第３の発明は、第１の発明乃至第２の発明に加えて、トレー容器、蓋体の紙基材が加熱による臭気の発生がない、もしくは低く、かつ耐水性があり、紙剥け耐性の高い材質であることを特徴とする請求項１または２記載の加熱調理可能な密封紙製容器とした。
【０００７】
本発明の第４の発明は、第１の発明乃至第３のいずれかの発明に加えて、トレー容器の内面の合成樹脂フィルムが耐熱性があり、かつ紙との接着力が強い材料の単層、または積層材料としたことを特徴とする請求項１乃至３記載の加熱調理可能な密封紙製容器とした。
【０００８】
本発明の第５の発明は、第１の発明乃至第４いずれかのの発明に加えて、トレー容器、蓋体の外面の印刷層のインキが耐熱性、通気性、耐水性があり、かつ加熱による臭気の発生がない、もしくは低い材料からなることを特徴とする請求項１乃至４記載の加熱調理可能な密封紙製容器とした。
【０００９】
本発明の第６の発明は、第１の発明乃至第５のいずれかの発明に加えて、トレー容器、蓋体の外面の印刷層の最外面が、オーバープリントニス層であることを特徴とする請求項１乃至５記載のいずれかの加熱調理可能な密封紙製容器とした。
【００１０】
本発明の第７の発明は、第１の発明乃至第６のいずれかの発明に加えて、加熱調理可能な密封紙製容器に用いるトレー容器とした。
【００１１】
本発明の第８の発明は、第７の発明に加えて、トレー容器が多角形状底板の周囲に側板が起立し、各側板の側部同士が重なり、かつ前記側板の上部にフランジが水平方向に張り出しているトレーであることを特徴とする請求項７記載の加熱調理可能な密封紙製容器に用いるトレー容器とした。
【００１２】
本発明の第９の発明は、第８の発明に加えて、トレー容器の側板が、近接する側板同士の側部において、どちらか一方の側板の側部に重合片を有し、該重合片が、他方の側板の内面に重なっていることを特徴とする請求項８記載の加熱調理可能な密封紙製容器に用いるトレー容器とした。
【００１３】
請求項１乃至６記載のいずれかの発明に加えて、加熱調理可能な密封紙製容器に用いる蓋体とした。
【００１４】
【発明の実施の形態】
以下本発明の実施の形態につき説明する。本発明は図１に示すような形状の紙製のトレー容器１０と蓋体２０とからなる密封紙製容器である。
トレー容器１０は矩形状の底面板１の四辺に情報に向かって外側に傾斜して対向する一対の側面板２、２と、一対の側面板３、３を備える。
そして、各々側面板２、２の側辺に逆２等辺三角形状の三角コーナー板６、及び重合片７を張り出し設け、該重合片７を側板３、３の側縁内面に重ねることで、前記三角コーナー板により形成されるコーナー部を備える。
また、前記側面板２、２の上端に外側に向かって水平に張り出すフランジ４を設け、前記側板３の上端に外側に向かって水平に張り出すフランジ５を設け、該フランジ５の両側に、前記三角コーナー板６の上方で外側に向かって水平に張り出すフランジ８を設けて成る。
そして、前記紙製のトレー容器の内面に真空成形、または真空成形と圧空成形の併用によって合成樹脂フィルム４０を積層接着する。
さらに、前記トレー容器の前記底面板１、側面板２、２と側面板３、３、三角コーナー板６、フランジ４、５及び８の外面の全面または適宜部材の適宜部分に印刷層３０を設けたものである。
【００１５】
本発明密封紙製容器はトレー容器と蓋体とを一体に設けることも可能である。つまり、トレー容器の１側板の上部に蓋体の端辺を折線を介して連設する。
また、トレー容器は、図４に示すように、三角コーナー板６を設けなくてもよい。トレーの剛度を得るために、隣接する側板に重なる重合片を張り出し設けることは必要である。また、重合片の重ね合わせは、隣接する側板の内面にする必要がある。この状態にすることで、合成樹脂フィルムを積層接着した時にこの重合片も合成樹脂フィルムにより接着されるためである。
さらに、トレー容器は図５に示すように８角形トレー容器のような、多角形トレー容器とすることもできる。
【００１６】
蓋体２０は前記トレー容器１０のフランジ４、５、及び８に合致する形状、寸法の紙製蓋体であり、内面に合成樹脂フィルムを積層接着し、外面の全面、または適宜部分に印刷層３０を設けたものである。
蓋体２０も前記トレー容器に応じて種々の形状とすることが可能である。
【００１７】
そして、前記トレー容器１０に食品を充填した後、該トレー容器１０のフランジ４、５、及び８に前記蓋体２０を重ね、両部材の内面の合成樹脂フィルム同士を熱融着により封止して密封して完成する。
【００１８】
本発明は、図３に示す様にトレー容器１０、蓋体２０の内面にのみに合成樹脂フィルム４０を設ける必要がある。これは、電子レンジ、オーブン等により、容器を加熱すると基材である紙５０の水分が沸騰蒸発し、紙の表面にでてくるという現象がおこる。このことにより、紙の両面に合成樹脂フィルムを設けると、この蒸気により紙と合成樹脂フィルムとの間の接着を剥がしてしまうという問題が発生する。また、この時、一方の合成樹脂フィルムの融点が低いとこの合成樹脂フィルム自体の溶融と前記蒸気の噴出により合成樹脂フィルムが発泡してしまうという問題が発生する。そこで、本発明は、紙基材の内面にのみ合成樹脂フィルムを設け、外面には設けず、蒸気の放出を阻害しないようにしている。
また、このように蒸気の放出を阻害しない他の手段としては、微細貫通孔を有するなど、高い通気性の合成樹脂フィルムを積層接着することも可能である。
【００１９】
前記トレー容器１０、蓋体２０に用いる紙基材５０としては適度な剛度を有する（例えば、坪量２００〜５００ｇ／ｍ2 ）はもちろんのこと、電子レンジ、オーブン、ボイルによる加熱に対する耐性を持たせるために、加熱による臭気の発生がないか、または低い材質を使用する必要がある。この要求を満たす材質としてはバージンパルプにより製紙したものが適している。また加熱調理により発生する水分の付着を防止する必要から耐水性、端面からの水分の吸収性のない、または低い材質を用いる必要がある。この要求を満たす材質として、一般にカップ原紙と呼ばれるものが適している。これらの要求品質は、本密封紙製容器を冷蔵庫等で冷凍，冷蔵保存した時、また、その保存状態から消費者が購入し持ち帰るまでの間におこる容器表面の結露による容器の劣化防止の目的からも有効なものとなる。また、必要に応じて耐油性を持たせることもできる。
さらに、開封時に蓋体との剥離強度において、紙剥けのしない材質である必要がある。
【００２０】
前記トレー容器１０、蓋体２０に用いる合成樹脂フィルム４０は耐水性に優れ、内容物を充填密封後の冷蔵冷凍等の保存時に十分な密封性を保ち、なおかつ、熱融着性に優れることはもちろんのこと、電子レンジ、オーブン等の加熱に対する耐性が必要となる。つまり、高い耐水性と耐熱性が必要である。例えば、ＰＥ（ＬＤＰＥ、ＬＬＤＰＥ）、ＰＰ（ホモＰＰ、ブロックＰＰ、ランダムＰＰ）、ＰＥＴ（非結晶ＰＥＴ）があげられるが、ＰＰ（とくにランダムＰＰ）が好ましい。例えば、８０〜５００μ、好ましくは１００〜２００μのＰＰがあげられる。
また、合成樹脂フィルム４０は単層である他に積層としてもよい。特に、未処理状態の紙基材との真空成形、または真空成形と圧空成形の併用による接着性を強固なものとするために、合成樹脂フィルムの内面にＥＭＡ、ＥＭＭＡ等のエチレンとカルボニル基の酸との共重合体を積層することがこのましい。
さらに、開封時の易開封性を向上させるために合成樹脂フィルムの外面にピーラブル樹脂を積層することが好ましい。例えば、シングルサイト系ＰＥをあげることができる。
【００２１】
前記トレー容器１０、蓋体２０に用いる印刷層３０のインキとしては電子レンジ、オーブン等による加熱に対する耐性を持たせる必要がある。つまり、高い耐熱性が必要である。また加熱による臭気の発生がない、または低いことが必要である。さらに、前記した加熱による紙からの蒸気の放出を阻害しないために通気性が必要となる。
【００２２】
前記トレー容器１０、蓋体２０に用いる印刷層３０は絵柄形成用のインキ３１に加えて、印刷層の最外面にＯＰニス３１を設けることも可能である。このニスを設けることでトレー容器を真空成形、または真空圧空成形の併用で紙基材と合成樹脂フィルムとを積層接着を金型内で行うのであるが、この時、ニスを設けておくと金型からのトレー容器の剥離取り出しが容易になり、取り出し工程におけるトレー容器の変形、破壊を防止できる。
また、このニスも他のインキと同様に耐熱性、通気性、加熱による臭気の発生を同様に備えている必要がある。
【００２３】
【発明の効果】
本発明は以上の構成であるから、下記に示す如き効果がある。即ち、紙製のトレー容器の内面に真空成形、または真空成形と圧空成形の併用により合成樹脂フィルムを積層したため、トレー容器の内面が完全な耐水性を有するので、液体、及び水分を含む食品の収納を可能にし、これと同じく、内面に微細貫通孔を有する合成樹脂フィルムを有する蓋材で封止するため完全な密封紙製容器となる。さらに、電子レンジ、オーブン等での容器をそのままで内容物の加熱調理を可能としたので、消費者にとっては鍋等の調理器具を準備することなく容易に調理することが可能となり、またこれら加熱調理によって容器は何ら損傷しないため、そのまま食器として使用することが可能となる極めて使い勝手のよい密封紙製容器である。
【００２４】
密封紙製容器のトレー容器と蓋体は内面にのみ合成樹脂フィルムを積層接着し、外面は加熱時に紙基材から発生する蒸気の放出を阻害しない構成としたので、加熱中、加熱後に容器が蒸気により破損することを防止する。
【００２５】
密封紙製容器のトレー容器と蓋体は紙基材を加熱に対する耐性を持たせ、かつ耐水性を持たせたため加熱中、加熱後に容器が熱、および水分による容器の破損を防止し、かつ加熱によって異臭が発生し食品に害を与えることを防止する。
【００２６】
密封紙製容器のトレー容器と蓋体は内面の合成樹脂フィルムを加熱に対する耐性を持たせたので加熱中、加熱後に容器が熱により破損することを防止する。
【００２７】
密封紙製容器のトレー容器と蓋体は外面の印刷層のインキを加熱に対する耐性を持たせ、かつ通気性を持たせたため加熱中、加熱後に容器が熱により容器が熱、および、紙基材から発生する蒸気による破損を防止し、かつ加熱によって異臭が発生し食品に害を与えることを防止する。
【００２８】
密封紙製容器のトレー容器と蓋体は外面の印刷層のインキの最外層にニス層を設けたため、真空成形、または真空成形と圧空成形の併用による成形時に金型内からのトレー容器の取り出しを容易にし、取り出しによる容器が破損することを防止する。
【図面の簡単な説明】
【図１】本発明の一実施例を示す斜視図である。
【図２】本発明の同実施例を示す平面図である。
【図３】本発明の同実施例を示す断面図である。
【図４】本発明の第２の実施例を示す平面図である。
【図５】本発明の第３の実施例を示す平面図である。
【符号の説明】
１０    ‥‥‥‥‥  トレー容器
２０    ‥‥‥‥‥  蓋体
３０    ‥‥‥‥‥  印刷層
３１    ‥‥‥‥‥  ニス
４０    ‥‥‥‥‥  合成樹脂フィルム
５０    ‥‥‥‥‥  紙
１      ‥‥‥‥‥  底面板
２、３  ‥‥‥‥‥  側板
４、５、８    ‥‥  フランジ
７      ‥‥‥‥‥  重合片
【図１】
0003959760.tif 000002
【図２】
0003959760.tif 000003
【図３】
0003959760.tif 000004
【図４】
0003959760.tif 000005
【図５】
0003959760.tif 000006